(57)【要約】【課題】基部の材料に依存することなくゴム製の滑り止め部を用いることができる電子機器用脚を提供する。【解決手段】ノートＰＣの底板部１に形成された貫通孔１ａに挿入される軸部１６、及び、軸部１６の一端に接続され、軸部１６よりも幅広とされた拡大部１７を有する基部１２と、基部１２に対して固定され、設置面に対して接触する滑り止め部１４とを備えている。滑り止め部１４は、ゴム製とされるとともに、基部１２の拡大部１７と設置面との間に位置する本体部１４ａと、拡大部１７の周囲から拡大部１７の軸部１６側の上面に回り込む囲い込み部１４ｃとを有する。【選択図】図２
2019121711.tif 000002
【特許請求の範囲】
【請求項１】
電子機器の底板部に形成された貫通孔に挿入される軸部、及び、該軸部の一端に接続され、該軸部よりも幅広とされた拡大部を有する基部と、
該基部に対して固定され、設置面に対して接触する滑り止め部と、
を備え、
前記滑り止め部は、ゴム製とされるとともに、前記基部の前記拡大部と前記設置面との間に位置する本体部と、前記拡大部の周囲から該拡大部の前記軸部側の面に回り込む囲い込み部とを有する電子機器用脚。
【請求項２】
前記囲い込み部は、前記電子機器の前記底板部と前記拡大部との間に挟み込まれる請求項１に記載の電子機器用脚。
【請求項３】
前記拡大部と前記本体部との間には、空間が形成されている請求項１又は２に記載の電子機器用脚。
【請求項４】
前記滑り止め部の前記本体部の底面は、前記設置面の方向に突出するとともに、前記滑り止め部の幅方向における中央位置から前記電子機器の前記底板部の外縁側にずれた位置に頂点を有する凸形状とされている請求項１から３のいずれかに記載の電子機器用脚。
【請求項５】
請求項１から４のいずれかに記載の電子機器用脚が設けられている電子機器。
【発明の詳細な説明】
【技術分野】
【０００１】
本発明は、電子機器用脚およびこれを備えた電子機器に関するものである。
【背景技術】
【０００２】
一般に、ノート型パソコン等の電子機器の底板部には、テーブルや机等の設置面との間に弾性を有する複数の脚部が設けられている（例えば特許文献１参照）。脚部によって、設置面上に安定的に電子機器が載置され、また、設置面と電子機器との間で振動減衰が行われる。
【先行技術文献】
【特許文献】
【０００３】
【特許文献１】特開２０１７−１５６８３６号公報
【発明の概要】
【発明が解決しようとする課題】
【０００４】
脚部は、弾性を有する滑り止め部が基部に対して固定された構造となっている。基部は、電子機器の底板部に形成された貫通孔に挿入される軸部を有している。このとき、基部を熱可塑性樹脂（プラスチック）とし、軸部を貫通孔に挿入した後に、挿入方向とは反対側から熱可塑性樹脂製の固定部材を軸部に対して溶着して固定することがある。このように基部が熱可塑性樹脂とされている場合には、滑り止め部を熱可塑性エラストマー（弾性体プラスチック）として、ダブルインジェクション（二色成形）によって基部に対して滑り止め部を固定している。ダブルインジェクションによって基部に対して滑り止め部が溶着されるので、基部から滑り止め部が引き剥がされる引き剥がし強度を高くすることができる。
【０００５】
しかし、上述のようにダブルインジェクションを採用すると、滑り止め部の材料として熱可塑性エラストマーを採用せざるを得ず、より振動吸収性が高いゴムを用いることができない。なぜなら、ゴムは熱可塑性を示さず、所定の温度と圧力の下での化学反応によって硬化されるものだからである。したがって、振動吸収性の向上のために滑り止め部としてゴムを採用すると、ダブルインジェクションを用いることができないので、基部に対する引き剥がし強度が低下せざるを得ないという問題がある。
【０００６】
本発明は、このような事情に鑑みてなされたものであって、電子機器用脚を構成する基部の材料に依存することなくゴム製の滑り止め部を用いることができる電子機器用脚およびこれを備えた電子機器を提供することを目的とする。
【課題を解決するための手段】
【０００７】
本発明の一態様に係る電子機器用脚は、電子機器の底板部に形成された貫通孔に挿入される軸部、及び、該軸部の一端に接続され、該軸部よりも幅広とされた拡大部を有する基部と、該基部に対して固定され、設置面に対して接触する滑り止め部と、を備え、前記滑り止め部は、ゴム製とされるとともに、前記基部の前記拡大部と前記設置面との間に位置する本体部と、前記拡大部の周囲から該拡大部の前記軸部側の面に回り込む囲い込み部とを有する。
【０００８】
さらに、本発明の一態様に係る電子機器用脚では、前記囲い込み部は、前記電子機器の前記底板部と前記拡大部との間に挟み込まれる。
【０００９】
さらに、本発明の一態様に係る電子機器用脚では、前記拡大部と前記本体部との間には、空間が形成されている。
【００１０】
さらに、本発明の一態様に係る電子機器用脚では、前記滑り止め部の前記本体部の底面は、前記設置面の方向に突出するとともに、前記滑り止め部の幅方向における中央位置から前記電子機器の前記底板部の外縁側にずれた位置に頂点を有する凸形状とされている。
【００１１】
また、本発明の一態様に係る電子機器は、上記のいずれかに記載の電子機器用脚が設けられている。
【発明の効果】
【００１２】
滑り止め部に拡大部の周囲から拡大部の軸部側の面に回り込む囲い込み部を設けることで基部に対する引き剥がし強度を増大させたので、電子機器用脚を構成する基部の材料に依存することなくゴム製の滑り止め部を用いることができる。
【図面の簡単な説明】
【００１３】
【図１】本発明の一実施形態に係るノートＰＣの底板部を本体筐体の内部側から概略的に示した平面図である。
【図２】図１のII−II線における断面図である。
【図３】脚部を示した平面図である。
【図４】図３のIV−IV線における断面図である。
【図５】図３のV−V線における断面図である。
【図６】変形例を示し、図４に対応する断面図である。
【図７】変形例を示し、図５に対応する断面図である。
【発明を実施するための形態】
【００１４】
以下に、本発明の一実施形態について説明する。
ノートブック型パーソナルコンピュータ（電子機器：以下、単に「ノートＰＣ」という。）は、例えば、いわゆるクラムシェル型のラップトップＰＣとされている。ノートＰＣは、本体筐体と、本体筐体に対してヒンジ等によって回動可能に取り付けられた蓋体とを備えている。
【００１５】
蓋体は、液晶ディスプレイや有機ＥＬディスプレイ等の表示装置を備えている。
本体筐体は、上面部、左側面部、右側面部、前面部、後面部及び底板部から構成された箱状物である。本体筐体の上面部には、キーボードやタッチパッド等が設けられている。
【００１６】
図１には、本体筐体を構成する底板部１を本体筐体の内部側から平面視した状態が概略的に示されている。底板部１上には、ＣＰＵ、メモリ、ハードディスクドライブ（以下、単に「ハードディスク」という。）、電源等の複数の電子部品が設けられている。図１では、ハードディスク３が示されている。
【００１７】
底板部１の角部に近い４箇所には、それぞれ、脚部（電子機器用脚）１０が設けられている。脚部１０は、ノートＰＣをテーブルや机等の設置面に載置する際に、底板部１と設置面との間に介在し、ノートＰＣを安定的に位置決めし、かつ、ノートＰＣと設置面との間の振動を減衰する。
【００１８】
図２に示すように、脚部１０は、基部１２と、基部１２に対して固定された滑り止め部１４とを備えている。
基部１２は、熱可塑性樹脂（プラスチック）とされており、底板部１に形成された貫通孔１ａに挿入される軸部１６を備えている。軸部１６の上端（他端）には、熱可塑性樹脂とされた円板状の固定部材１８が溶着されている。固定部材１８の径は、貫通孔１ａよりも大きくされている。軸部１６を貫通孔１ａに挿入した後に、軸部１６の上端に固定部材１８を溶着することによって、基部１２が底板部１に対して固定されるようになっている。
【００１９】
ハードディスク３は、弾性部材としてのスポンジ５を介して底板部１上に設置されている。ハードディスク３で発生した振動は、スポンジ５を介して底板部１へと伝達される。なお、図２において底板部１の左端に立設している壁部は、本体筐体の左側面部７である。
【００２０】
図３には、脚部１０の平面図が示されている。同図に示すように、脚部１０は、平面視して長円形状とされており、長軸方向に離間して２つの軸部１６を有している。なお、脚部１０は、円形や楕円形とされていても良く、また、軸部１６の数は、１つでも、３つ以上であっても良い。
【００２１】
図４には、図３に示した脚部１０の短手方向の断面が示されている。同図に示すように、軸部１６の下端（一端）には、軸部１６よりも幅広とされた拡大部１７が接続されている。拡大部１７の底面１７ａは、下方（すなわち設置面側）に膨出する凸形状とされている。底面１７ａの形状は、図４のように脚部１０の短手方向の断面を見た場合には、頂点が幅方向における中央に位置するような凸形状とされている。
【００２２】
軸部１６と拡大部１７との間には、軸部１６よりも幅広とされ、拡大部１７よりも幅狭とされた中間部２０が設けられている。なお、ここで幅広や幅狭という幅の方向は、軸部１６の長手方向に直交する方向を意味する。
軸部１６、中間部２０及び拡大部１７は、同一の熱可塑性樹脂で一体的に成形されている。
【００２３】
拡大部１７を下方から覆うように滑り止め部１４が設けられている。滑り止め部１４は、ゴム製とされており、例えばアクリロニトリル系ラバー（ＮＢＲ：(acrylo)  nitrile  Butadiene  Rubber）が用いられる。ゴムとしては、エチレンプロピレンジエンゴム（ＥＰＤＭ：Ethylene  Propylene  Diene  Monomer  Rubber）を用いても良い。ゴム硬度としては、ＪＩＳ Ｋ ６２５３ タイプＡの測定で、Ａ７０以上Ａ９０以下とされる。
滑り止め部１４は、拡大部１７の下方に本体部１４ａを有している。本体部１４ａが拡大部１７と設置面との間に位置することになる。本体部１４ａの底面１４ｂは、下方（すなわち設置面側）に膨出する凸形状とされている。底面１４ｂの形状は、図４のように脚部１０の短手方向の断面を見た場合には、頂点が幅方向における中央に位置するような凸形状とされている。
【００２４】
滑り止め部１４の上側の肩部には、拡大部１７の上方で軸部１６側に回り込む囲い込み部１４ｃが設けられている。囲い込み部１４ｃの幅方向における中央側は、中間部２０まで達している。囲い込み部１４ｃの厚さ（同図において上下方向の寸法）は、中間部２０の厚さよりも僅かに厚くされていることが好ましい。これにより、図２に示すように、囲い込み部１４ｃが拡大部１７と底板部１との間で圧縮力をもって挟み込まれるようになる。
【００２５】
囲い込み部１４ｃが拡大部１７の周囲を包囲することによって、滑り止め部１４が拡大部１７に対して係合した状態で固定されている。拡大部１７と滑り止め部１４との固定は、物理的に嵌め合わせることのみによって行われ、接着剤は用いられていない。
【００２６】
拡大部１７の底面１７ａと滑り止め部１４の本体部１４ａとの間には、空間Ｓが形成されている。この空間Ｓは、ノートＰＣが設置面に設置されてノートＰＣの自重が負荷された場合であっても、滑り止め部１４のゴム剛性によって維持されるようになっている。
【００２７】
図５には、図３に示した脚部１０の長手方向における断面が示されている。同図に示されているように、拡大部１７の底面１７ａは、頂点が幅方向における中央に位置するような凸形状とされている。これに対して、滑り止め部１４の底面１４ｂは、滑り止め部１４の長手方向における中央軸線Ｌ１（中央位置）から外側（同図において左側）にずれた位置に頂点１４ｄを有する凸形状となっている。頂点１４ｄは、底板部１の外縁側にずれた位置とされている。このような底面１４ｂの形状とすることで、滑り止め部１４は、頂点１４ｄにて設置面ＰＬに対して接触することになる。すなわち、滑り止め部１４は、底板部１の外縁側で設置面ＰＬに対して接触することになる。
【００２８】
本実施形態によれば、以下の作用効果を奏する。
ノートＰＣの底板部１に形成された貫通孔１ａに挿入される軸部１６を有する基部１２に対して滑り止め部１４が固定される。これにより、ノートＰＣの設置面ＰＬに対して滑り止め部１４が接触することでノートＰＣが安定的に設置される。
滑り止め部１４は、ゴム製とされているので、ノートＰＣと設置面ＰＬとの間の振動伝達を抑制することができる。
滑り止め部１４には、拡大部１７の周囲から拡大部１７の軸部１６側の上面に回り込む囲い込み部１４ｃが設けられているので、滑り止め部１４が拡大部１７から引き剥がされる引き剥がし強度を増大することができる。このように、高い引き剥がし強度を得ることができるので、脚部１０を構成する基部１２の材料に依存することなく、ゴム製の滑り止め部１４を用いることができる。
【００２９】
囲い込み部１４ｃを底板部１と拡大部１７との間で挟み込みゴム製の囲い込み部１４ｃで振動を減衰させることとしたので、ノートＰＣと設置面ＰＬとの間の振動伝達（例えばハードディスク３から外部への振動伝達）をさらに抑制することができる。
【００３０】
拡大部１７と本体部１４ａとの間に空間Ｓを形成することとしたので、空間Ｓで振動が減衰され、振動伝達をさらに抑制することができる。
【００３１】
滑り止め部１４の底面１４ｂを、設置面ＰＬの方向に突出させるとともに、滑り止め部１４の幅方向（長手方向）における中央軸線Ｌ１から底板部１の外縁側にずれた位置に頂点１４ｄを有する凸形状とした。これにより、ノートＰＣと設置面ＰＬとの接触位置を、ノートＰＣの底板部１の外縁に可及的に位置させることができ、ノートＰＣを安定的に設置することができる。
【００３２】
なお、上述した実施形態は、図６及び図７のように変形することができる。図６は図４に対応し、図７は図５に対応する。図６及び図７に示されているように、拡大部１７の底面１７ａと滑り止め部１４の底面１４ｂとを接触させて、空間Ｓ（図４及び図５参照）を形成しないようにしてもよい。
【００３３】
また、上述した実施形態では、電子機器の一例としてノートＰＣを挙げたが、本発明はこれに限定されるものではなく、設置面に載置されて使用されることが想定されるものであればよく、例えば、タブレット型端末、デスクトップ型パソコン、ディスプレイ、キーボード、プロジェクター、プリンター等でも良い。
【符号の説明】
【００３４】
１  底板部
３  ハードディスク
５  スポンジ
７  左側面部
１０  脚部（電子機器用脚）
１２  基部
１４  滑り止め部
１４ａ  本体部
１４ｂ  底面
１４ｃ  囲い込み部
１４ｄ  頂点
１６  軸部
１７  拡大部
１７ａ  底面
１８  固定部材
２０  中間部
Ｌ１  中央軸線
ＰＬ  設置面
【図１】
2019121711.tif 000003
【図２】
2019121711.tif 000004
【図３】
2019121711.tif 000005
【図４】
2019121711.tif 000006
【図５】
2019121711.tif 000007
【図６】
2019121711.tif 000008
【図７】
2019121711.tif 000009